(57)【要約】【課題】本発明は、電子データ（たとえばホームページの一表示画面の全データ）を要求時点から一時保管を行い、予告無く掲載主がデータ掲載を終了した様なケースにおいてユーザが一時保管データの読み出し要求を行った場合にその電子データの提供を行い、同時に、一時保管要求時点から読み出し要求時点までの保管期間とデータ容量に基づいて課金を行う電子データ保管システムの提供を目的とする。【解決手段】ネットワーク４と接続されたＷｅｂデータ格納部が、ネットワーク４と接続されたユーザ端末から、電子データの一時的保管サービスを行う電子データ保管システムであって、保管した電子データのデータ容量と保管していた期間に応じた保管料金を課金処理する課金処理部とから構成される。【選択図】      図１
2005108097.tif 000002
【特許請求の範囲】
【請求項１】
ユーザによる、電子データの格納先アドレス情報をパラメータとする保管要求と、保管した電子データの読み出し要求とを実行するユーザ端末と、前記ユーザ端末による前記電子データの保管要求時点から読み出し要求時点までの保管期間中前記電子データの保管をするデータ保管サーバと、を含む電子データ保管システムであって、
前記データ保管サーバは、保管期間と電子データの容量に基づいて前記ユーザに課金を行う課金処理手段を備えることを特徴とする電子データ保管システム。
【請求項２】
前記データ保管サーバは、ユーザから指定された前記アドレス情報に基づき、前記アドレス情報の示すアドレスへアクセスを行い、前記電子データを取得すると保管を開始することを特徴とする請求項１記載の電子データ保管システム。
【請求項３】
前記データ保管サーバは、ユーザの認証用に割り当てたユーザＩＤとパスワードを用い、ユーザ毎の電子データを記憶装置に保管することを特徴とする請求項１または請求項２記載の電子データ保管システム。
【請求項４】
前記課金処理手段は、電子データの前記保管期間と、電子データ容量に基づいた各ユーザに対応した課金処理を行うことを特徴とする請求項１記載の電子データ保管システム。
【請求項５】
前記電子データは、Ｗｅｂサーバの有するＷｅｂデータであり、前記アドレス情報はＵＲＬ（Ｕｎｉｆｏｒｍ  Ｒｅｓｏｕｒｃｅ  Ｌｏｃａｔｏｒ）情報であることを特徴とする請求項１乃至４いずれか１項記載の電子データ保管システム。
【請求項６】
ＷｅｂサーバのＷｅｂデータを参照しその保管を要求するユーザの使用するユーザ端末と、前記ユーザ端末から前記保管の要求を受けると、前記Ｗｅｂサーバをアクセスして前記Ｗｅｂデータを取り出しその保管を行うとともに前記ユーザ端末から保管された前記Ｗｅｂデータの参照の要求に従い、保管した前記Ｗｅｂデータを送信し、保管期間と前記Ｗｅｂデータ容量に従い、前記ユーザに課金をするデータ保管サーバと、を備えることを特徴とする電子データ保管システム。
【請求項７】
ＷｅｂサーバのＷｅｂデータのＵＲＬと該Ｗｅｂデータにアクセスする間隔とアクセス終了期限を指定して該Ｗｅｂデータの保管要求を送信するユーザ端末と、前記ユーザ端末の指定したアクセス終了期限まで指示した間隔に基づきＷｅｂサーバをアクセスし、Ｗｅｂデータの前回取り出し時からの変更を検出すると該Ｗｅｂデータを取り出して前回取り出し分に追加して保管し、前記アクセス終了期限になると、前記ユーザ端末に電子メールで保管期限切れの通知をするデータ保管サーバと、を備えることを特徴とする電子データ保管システム。
【請求項８】
ＷｅｂデータのＵＲＬと該Ｗｅｂデータにアクセスする間隔とアクセス期限を指定して該Ｗｅｂデータの保管要求を送信するＷｅｂサーバと、前記Ｗｅｂサーバの指定したアクセス期限まで指示した間隔に基づきＷｅｂサーバをアクセスし、Ｗｅｂデータの前回取り出し時からの変更を検出すると該Ｗｅｂデータを取り出して保管し、前記アクセス期限になると、前記Ｗｅｂサーバに電子メールで保管期限切れの通知をするデータ保管サーバと、を備えることを特徴とする電子データ保管システム。
【請求項９】
ユーザ端末は、ＷｅｂサーバのＷｅｂデータの保管をデータ保管サーバに要求する第１のステップと、
前記データ保管サーバは、前記ユーザ端末から保管を依頼を受けると、前記Ｗｅｂサーバをアクセスして前記Ｗｅｂデータを取り出しその保管を行う第２のステップと、
前記データ保管サーバは、前記ユーザ端末から保管された前記Ｗｅｂデータの参照の要求に従い、保管した前記Ｗｅｂデータを送信する第３のステップと、
前記データ保管サーバは、保管期間と前記Ｗｅｂデータ容量に従い、前記ユーザに課金をする第４のステップと、
を備えることを特徴とする電子データ保管方法。
【請求項１０】
ユーザ端末は、ＷｅｂサーバのＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記ユーザ端末の指定したアクセス期限まで指示した間隔に基づきＷｅｂサーバをアクセスし、Ｗｅｂデータの前回取り出し時からの変更を検出すると該Ｗｅｂデータを取り出して保管する第２のステップと、
前記データ保管サーバは、前記アクセス期限になると、前記ユーザ端末に電子メールで保管期限切れの通知をする第３のステップと、
を備えることを特徴とする電子データ保管方法。
【請求項１１】
Ｗｅｂサーバは、自身のＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記Ｗｅｂサーバの指定したアクセス期限まで指示した間隔に基づき前記Ｗｅｂサーバをアクセスし、Ｗｅｂデータの前回取り出し時からの変更を検出すると該Ｗｅｂデータを取り出して保管を行う第２のステップと、
前記データ保管サーバは、前記アクセス期限になると、前記Ｗｅｂサーバに電子メールで保管期限切れの通知をする第３のステップと、
を備えることを特徴とする電子データ保管方法。
【請求項１２】
コンピュータに、
ユーザ端末は、ＷｅｂサーバのＷｅｂデータの保管をデータ保管サーバに要求する第１のステップと、
前記データ保管サーバは、前記ユーザ端末から保管を依頼を受けると、前記Ｗｅｂサーバをアクセスして前記Ｗｅｂデータを取り出しその保管を行う第２のステップと、
前記データ保管サーバは、前記ユーザ端末から保管された前記Ｗｅｂデータの参照の要求に従い、保管した前記Ｗｅｂデータを送信する第３のステップと、
前記データ保管サーバは、保管期間と前記Ｗｅｂデータ容量に従い、前記ユーザに課金をする第４のステップと、
を実行させるプログラム。
【請求項１３】
コンピュータに、
ユーザ端末は、ＷｅｂサーバのＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記ユーザ端末の指定したアクセス期限まで指示した間隔に基づきＷｅｂサーバをアクセスし、Ｗｅｂデータの前回取り出し時からの変更を検出すると取り出して保管する第２のステップと、
前記データ保管サーバは、前記アクセス期限になると、前記ユーザ端末に電子メールで保管期限切れの通知をする第３のステップと、
を実行させるプログラム。
【請求項１４】
コンピュータに、
Ｗｅｂサーバは、自身のＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記Ｗｅｂサーバの指定したアクセス期限まで指示された間隔に基づき前記Ｗｅｂサーバをアクセスし、Ｗｅｂデータの前回取り出し時からの変更を検出すると該Ｗｅｂデータを取り出して保管を行う第２のステップと、
前記データ保管サーバは、前記アクセス期限になると、前記Ｗｅｂサーバに電子メールで保管期限切れの通知をする第３のステップと、
を実行させるプログラム。
【発明の詳細な説明】
【技術分野】
【０００１】
本発明は、電子データ保管システムに関し、特にネットワークに接続されたサーバ・クライアントシステム及び、そのサーバ・クライアントシステムの利用におけるサーバ・クライアントシステム課金方法に関する。
【背景技術】
【０００２】
従来、電子データ保管システムとしては、サーバ・クライアントシステムのＷｅｂページの表示が課題として述べられ、もし、何らかの理由で、表示データのファイル名を変更したり、サーバ内での保存ディレクトリを変更したり、表示データの保存先のサーバを変更したりといった保存環境の変更があった場合、クライアントから前記ＵＲＬ（Ｕｎｉｆｏｒｍ Ｒｅｓｏｕｒｃｅ Ｌｏｃａｔｏｒ）を指定すると、「表示ファイルが見あたらない」という理由で、Ｗｅｂページにアクセスすることが出来なくなる問題点が生じる。
【０００３】
この問題を解決するために、所定のＷｅｂページの表示データを保存自在な第一サーバと第二サーバとを設け、クライアントからのアクセス要求に伴って第一サーバ内にそのアクセス要求ＵＲＬを変更するアドレス変更情報を備えて構成する方法が特許文献１に記載されている。
【０００４】
さらに、特許文献２には、端末と電子データの保管を行うサーバー装置とがネットワークを介して接続され、サーバー装置は、端末から入力されるＷｅｂサーバ等の情報提供先を記憶する第１の記憶手段と、第１の記憶手段が記憶した情報提供先からの情報をネットワークを介して記憶する第２の記憶手段と、端末からの情報提供の要求に基づいて第２の記憶手段が記憶した情報を端末に送信する制御手段とを備えた内容が記載されている。
【０００５】
【特許文献１】特開２００２−３３４０３６（ページ４−５、図１）
【特許文献２】特開２００３−６０３４（ページ５−８、図１）
【発明の開示】
【発明が解決しようとする課題】
【０００６】
第１の問題点は、上述した従来のサーバ・クライアントシステムのＷｅｂページ表示問題解決方法では、表示データのファイル名を変更したり、サーバ内での保存ディレクトリを変更したり、表示データの保存先のサーバを変更したりといった保存環境の変更があった場合は救済可能であるが、データそのものが削除された場合は、救済できない。
【０００７】
第２の問題点は、Ｗｅｂサーバの変更時点毎の履歴管理が重要となり、ページ数を多く所有するＷｅｂサーバは、ファイル名に追加、変更や削除が生じる毎に対応する情報を変更する必要がある。
【０００８】
本発明の目的は、上記の問題点を解消し、ユーザが一度一時保管要求に登録したＵＲＬは、サーバ環境が変更されてもあるいはＵＲＬが削除されても見たいときにはいつでも閲覧できるようにすることである。
【０００９】
さらに、ユーザが新聞会社のホームページに開設された各企業の株価欄の内容を１月単位でまとめ、これを月単位で分析して株価の全体傾向を調査しようとする場合、毎日関連するホームページをアクセスしてその情報を取り出し、自端末に取り込み蓄積するという手間が必要であった。上述した特許文献は、Ｗｅｂデータの保存や保管に関する内容を有するものであるが、以上のような手間の軽減に対処する記載はない。
【００１０】
本発明は、このような手間の軽減を図ることも１つの目的とし、Ｗｅｂデータを保管するサーバが、ユーザの指示を受け、指定されたＵＲＬのＷｅｂデータを定期的にアクセスして保管の終了期限までその保管作業を行う内容をもつ電子データ保管システム、電子データ保管方法及びそのプログラムを提案するものである。
【課題を解決するための手段】
【００１１】
本発明の第１の電子データ保管システムは、ユーザによる、電子データの格納先アドレス情報をパラメータとする保管要求と、保管した電子データの読み出し要求とを実行するユーザ端末と、前記ユーザ端末による前記電子データの保管要求時点から読み出し要求時点までの保管期間中前記電子データの保管をするデータ保管サーバと、を含む電子データ保管システムであって、
前記データ保管サーバは、保管期間と電子データの容量に基づいて前記ユーザに課金を行う課金処理手段を備える。
【００１２】
本発明の第２の電子データ保管システムは、第１の発明において、前記データ保管サーバは、ユーザから指定された前記アドレス情報に基づき、前記アドレス情報の示すアドレスへアクセスを行い、前記電子データを取得すると保管を開始することを備える。
【００１３】
本発明の第３の電子データ保管システムは、第１又は第２の発明において、前記データ保管サーバは、ユーザの認証用に割り当てたユーザＩＤとパスワードを用い、ユーザ毎の電子データを記憶装置に保管することを備える。
【００１４】
本発明の第４の電子データ保管システムは、第１の発明において、前記課金処理手段は、電子データの前記保管期間と、データ容量に基づいた各ユーザに対応した課金処理を行うことを備える。
【００１５】
本発明の第５の電子データ保管システムは、第１乃至第４の発明において、前記電子データは、Ｗｅｂサーバの有するＷｅｂデータであり、前記アドレス情報はＵＲＬ（Ｕｎｉｆｏｒｍ  Ｒｅｓｏｕｒｃｅ  Ｌｏｃａｔｏｒ）情報であることを備える。
【００１６】
本発明の第６の電子データ保管システムは、ＷｅｂサーバのＷｅｂデータを参照しその保管を要求するユーザの使用するユーザ端末と、前記ユーザ端末から前記保管の要求を受けると、前記Ｗｅｂサーバをアクセスして前記Ｗｅｂデータを取り出しその保管を行うとともに前記ユーザ端末から保管された前記Ｗｅｂデータの参照の要求に従い、保管した前記Ｗｅｂデータを送信し、保管期間と前記Ｗｅｂデータ容量に従い、前記ユーザに課金をするデータ保管サーバと、を備える。
【００１７】
本発明の第７の電子データ保管システムは、ＷｅｂサーバのＷｅｂデータのＵＲＬと該Ｗｅｂデータにアクセスする間隔とアクセス終了期限を指定して該Ｗｅｂデータの保管要求を送信するユーザ端末と、前記ユーザ端末の指定したアクセス終了期限まで指示した間隔に基づきＷｅｂサーバをアクセスし、Ｗｅｂデータの前回取り出し時からの変更を検出すると該Ｗｅｂデータを取り出して前回取り出し分に追加して保管し、前記アクセス終了期限になると、前記ユーザ端末に電子メールで保管期限切れの通知をするデータ保管サーバと、を備える。
【００１８】
本発明の第８の電子データ保管システムは、ＷｅｂデータのＵＲＬと該Ｗｅｂデータにアクセスする間隔とアクセス期限を指定して該Ｗｅｂデータの保管要求を送信するＷｅｂサーバと、前記Ｗｅｂサーバの指定したアクセス期限まで指示した間隔に基づきＷｅｂサーバをアクセスし、Ｗｅｂデータの前回取り出し時からの変更を検出すると該Ｗｅｂデータを取り出して保管し、前記アクセス期限になると、前記Ｗｅｂサーバに電子メールで保管期限切れの通知をするデータ保管サーバと、を備える。
【００１９】
本発明の第１の電子データ保管方法は、ユーザ端末は、ＷｅｂサーバのＷｅｂデータの保管をデータ保管サーバに要求する第１のステップと、
前記データ保管サーバは、前記ユーザ端末から保管を依頼を受けると、前記Ｗｅｂサーバをアクセスして前記Ｗｅｂデータを取り出しその保管を行う第２のステップと、
前記データ保管サーバは、前記ユーザ端末から保管された前記Ｗｅｂデータの参照の要求に従い、保管した前記Ｗｅｂデータを送信する第３のステップと、
前記データ保管サーバは、保管期間と前記Ｗｅｂデータ容量に従い、前記ユーザに課金をする第４のステップと、
を備える。
【００２０】
本発明の第２の電子データ保管方法は、ユーザ端末は、ＷｅｂサーバのＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記ユーザ端末の指定したアクセス期限まで指示した間隔に基づきＷｅｂサーバをアクセスし、Ｗｅｂデータの前回取り出し時からの変更を検出すると該Ｗｅｂデータを取り出して保管する第２のステップと、
前記データ保管サーバは、前記アクセス期限になると、前記ユーザ端末に電子メールで保管期限切れの通知をする第３のステップと、
を備える。
【００２１】
本発明の第３の電子データ保管方法は、Ｗｅｂサーバは、自身のＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記Ｗｅｂサーバの指定したアクセス期限まで指示した間隔に基づき前記Ｗｅｂサーバをアクセスし、Ｗｅｂデータの前回取り出し時からの変更を検出すると該Ｗｅｂデータを取り出して保管を行う第２のステップと、
前記データ保管サーバは、前記アクセス期限になると、前記Ｗｅｂサーバに電子メールで保管期限切れの通知をする第３のステップと、
を備える。
【００２２】
本発明の第１のプログラムは、コンピュータに、
ユーザ端末は、ＷｅｂサーバのＷｅｂデータの保管をデータ保管サーバに要求する第１のステップと、
前記データ保管サーバは、前記ユーザ端末から保管を依頼を受けると、前記Ｗｅｂサーバをアクセスして前記Ｗｅｂデータを取り出しその保管を行う第２のステップと、
前記データ保管サーバは、前記ユーザ端末から保管された前記Ｗｅｂデータの参照の要求に従い、保管した前記Ｗｅｂデータを送信する第３のステップと、
前記データ保管サーバは、保管期間と前記Ｗｅｂデータ容量に従い、前記ユーザに課金をする第４のステップと、
を実行させる。
【００２３】
本発明の第２のプログラムは、コンピュータに、
ユーザ端末は、ＷｅｂサーバのＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記ユーザ端末の指定したアクセス期限まで指示した間隔に基づきＷｅｂサーバをアクセスし、Ｗｅｂデータの前回取り出し時からの変更を検出すると取り出して保管する第２のステップと、
前記データ保管サーバは、前記アクセス期限になると、前記ユーザ端末に電子メールで保管期限切れの通知をする第３のステップと、
を実行させる。
【００２４】
本発明の第３のプログラムは、コンピュータに、
Ｗｅｂサーバは、自身のＷｅｂデータのＵＲＬと該Ｗｅｂデータにアクセスする間隔とアクセス期限を指定して該Ｗｅｂデータの保管要求をデータ保管サーバに送信する第１のステップと、
前記データ保管サーバは、前記Ｗｅｂサーバの指定したアクセス期限まで指示された間隔に基づき前記Ｗｅｂサーバをアクセスし、Ｗｅｂデータの前回取り出し時からの変更を検出すると該Ｗｅｂデータを取り出して保管を行う第２のステップと、
前記データ保管サーバは、前記アクセス期限になると、前記Ｗｅｂサーバに電子メールで保管期限切れの通知をする第３のステップと、
を実行させる。
【発明の効果】
【００２５】
第１の効果は、 Ｗｅｂサーバが予告無くＵＲＬの削除や更新を行うケースにおいても閲覧したいＷｅｂページが表示される。
【００２６】
その理由は、 ユーザ端末は、Ｗｅｂデータ保管サーバに対して当該ＵＲＬを一時保管要求として送信し、それを受けたＷｅｂデータ保管サーバは当該ＵＲＬのＷｅｂデータの格納を実行し、ＷｅｂサーバがＵＲＬの削除を行ったことでユーザ端末にエラーが表示されると、ＩＤ、パスワードを読み出し要求としてＷｅｂデータ格納部に送信することで、ユーザの承認を行い、許可であるケースは格納してあったＷｅｂデータをユーザ端末に送信することにて実現できることによる。
【００２７】
第２の効果は、 前記Ｗｅｂデータ保管サービスを提供することによって、利用ユーザに対して課金することができる。
【００２８】
その理由は、課金処理部にて、Ｗｅｂデータ格納部からの一時保管開始時刻と読み出し時刻に基づいたデータ保管期間の算出と、Ｗｅｂデータ容量に基づいた、各ユーザの各々のＵＲＬ毎に対応した課金処理が行えることによる。
【００２９】
第３の効果は、決められた期間に変更が行われたＷｅｂデータをユーザ端末からまとめて入手し、入手したＷｅｂデータに対する総合した処理を行うことができる。
【発明を実施するための最良の形態】
【００３０】
次に、本発明の実施の形態について図面を参照して詳細に説明する。
【００３１】
図１は本発明の第１の実施例における電子データ保管システムのシステム構成を示すブロック図である。
【００３２】
図１において、本発明の第１の実施例における電子データ保管システムは、ユーザが使用するユーザ端末１と、Ｗｅｂサーバ２と、それらとインターネットを含むネットワーク４を介して接続されたＷｅｂデータ保管サーバ３と、から構成される。
【００３３】
図２はＷｅｂデータ保管サーバ３の構成を説明したブロック図である。
【００３４】
Ｗｅｂデータ保管サーバ３は、全体の各手段の制御を行う主制御手段３０と、ユーザ認証手段３１と、ユーザ端末１やＷｅｂサーバ２との間でＷｅｂデータの送受信を行う通信処理手段３２と、磁気ディスク装置等の二次記憶装置である記憶装置３５との間でＷｅｂデータの入出力を行う記憶手段３３と、データの保管に関する課金をユーザに行う課金処理手段３４と、を有して構成されている。
【００３５】
ユーザ端末１は、ブラウザ上に入力されたＵＲＬ（Ｕｎｉｆｏｒｍ  Ｒｅｓｏｕｒｃｅ  Ｌｏｃａｔｏｒ）をネットワーク４上に出力し、所望のＷｅｂデータが返信された際は、画面上へその表示を行う。
【００３６】
また、ユーザ端末１は、Ｗｅｂデータ保管サーバ３に対するＵＲＬを持ち、Ｗｅｂサーバ２から取得したＷｅｂデータについて、その一時保管要求が発生した場合、Ｗｅｂデータ保管サーバ３を指定するＵＲＬ内に、処理種別として保管、保管先として当該ＷｅｂデータのＵＲＬ、ユーザＩＤ、をパラメータとして設定し、ネットワーク４上に出力する。これを受信したＷｅｂデータ保管サーバ３は、受信したＵＲＬの解析を行い、処理種別が保管であるとを確認すると、該当するＷｅｂサーバ２にアクセスして、一時保管を行う。
【００３７】
また、逆に、ユーザ端末１で、一時保管したＷｅｂデータの読み出し要求が発生した場合、ユーザ端末１は、Ｗｅｂデータ保管サーバ３を指定するＵＲＬ内に、処理種別として参照、先に保管したＷｅｂデータのＵＲＬ、ユーザのユーザＩＤ、パスワード、をパラメータとして設定し、ネットワーク４上に出力する。
【００３８】
Ｗｅｂサーバ２は、ネットワーク４を経由してユーザ端末１から自分宛のＵＲＬを受信すると、指定されたＷｅｂサーバ２の持つＷｅｂデータをネットワーク４に出力し、ユーザ端末１に応答する。また、受信したＵＲＬが過去には使用されていたＵＲＬではあるが、既に消去され、現在は使用されていないＵＲＬであった場合は、エラーメッセージをユーザ端末１に応答する。
【００３９】
Ｗｅｂデータ保管サーバ３の通信処理手段３２は、ネットワーク４を経由して自分宛のＵＲＬを受信すると、主制御手段３０へ当該データを伝達する。
【００４０】
また、主制御手段３０は、課金処理手段３４とインタフェースし、一時保管開始時刻情報、読み出し時刻情報、受信したＷｅｂデータ容量を通知する。
【００４１】
以下にＷｅｂデータ保管サーバ３の処理についてその詳細を説明する。
【００４２】
ユーザは、Ｗｅｂデータの一時保管をＷｅｂデータ保管サーバ３に依頼するにあたり、ユーザ端末１より、Ｗｅｂデータ保管サーバ３のホームページをアクセスし、ユーザの個人情報の登録を行う。
【００４３】
ユーザの個人情報には、例えば、ユーザの氏名、電話番号、ユーザ端末１上の電子メールアドレス、データの保管費用に対する料金の引き落としに必要な金融機関の口座情報等がある。このとき、Ｗｅｂデータ保管サーバ３のユーザ認証手段３１は、ユーザの個人情報を記憶手段３３に記憶するとともに、ユーザに対して、ユーザの認証時に使用されるユーザＩＤ、パスワードを生成してユーザ端末１に送信する。ユーザＩＤ、パスワードもユーザの個人情報とともに記憶されユーザ登録は終了する。
【００４４】
通信処理手段３２は、ネットワーク４から自分宛のＵＲＬを受信すると、主制御手段３０にこれを渡す。主制御手段３０は、このＵＲＬを解析する。ＵＲＬのパラメータには、Ｗｅｂサーバ２のＵＲＬ、処理種別、ユーザＩＤ、パスワード等が設定されている。
【００４５】
主制御手段３０は、処理種別をもとに内容が一時保管要求であるか、一時保管された情報の読み出し要求であるか、Ｗｅｂデータであるかのデータによる処理の識別を行う。
【００４６】
主制御手段３０は、処理がユーザ端末１からの一時保管要求である場合は、ユーザＩＤからどのユーザからの要求かを確認し、通信処理手段３２に対し一時保管要求の対象となるＷｅｂサーバ２のＵＲＬを渡す。主制御手段３０は、同時に課金処理手段３４に対しユーザＩＤと、その時点の時刻である一時保管開始時刻情報を渡す。
【００４７】
また、主制御手段３０は、処理がユーザ端末１からの読み出し要求である場合は、ユーザＩＤ、パスワードを記憶手段３３の情報と照合し、ユーザＩＤとパスワードとが一致するかをチェックし、Ｗｅｂデータの読み出し許可／不許可判定を実施する。照合が一致して許可する場合、記憶手段３３に読み出し要求を行い、同時に課金処理手段３４に対しその時点の時刻である読み出し時刻情報を送信する。
【００４８】
また、受信データがＷｅｂデータである場合は、その保管のため、そのまま記憶手段３
３に出力を要求する。記憶手段３３は、主制御手段３２からのＷｅｂデータを受け取ると、そのまま記憶装置に格納する。
【００４９】
課金処理手段３４は、主制御手段３０からの一時保管開始時刻情報とＷｅｂデータ容量を記憶し、主制御手段３０から読み出し時刻情報を受信すると一時保管開始時刻から読み出し時刻までの保管期間を算出し、保管期間と前記Ｗｅｂデータ容量とに応じた課金をユーザに対して行う。
【００５０】
次に、ユーザ端末１、Ｗｅｂサーバ２、Ｗｅｂデータ保管サーバ３、課金処理手段３４の動作を図３のフローチャートを使用して説明する。尚、前述したようなユーザ端末１によるＷｅｂデータ保管サーバ３へのユーザ登録は、既に行われているものとする。
【００５１】
ユーザ端末１のユーザは、Ｗｅｂデータを参照するため、ブラウザ等を使用し、ネットワーク４に対してＷｅｂサーバ２をアクセスするためのＵＲＬを送信する（ステップＳ１）。
【００５２】
Ｗｅｂサーバ２では、ユーザ端末１が指定したＵＲＬに対応するＷｅｂデータをユーザ端末１に送信する（ステップＳ２）。ユーザ端末１のユーザは、Ｗｅｂサーバ２から受信したＷｅｂデータの閲覧を行う。
【００５３】
ユーザは、その閲覧データの中で、後刻または後日、再び参照したいＷｅｂデータが存在した場合（ステップＳ３）は、そのＷｅｂデータに対応するＵＲＬをユーザ端末１上のブラウザの「お気に入り」に登録する。
【００５４】
続いて、ユーザ端末１は、Ｗｅｂデータの一時保管要求としてＷｅｂデータ保管サーバ３宛のＵＲＬのパラメータに処理種別として保管、お気に入りに登録したＵＲＬ、ユーザＩＤ、を指定し、ネットワーク４上に出力する（ステップＳ４）。尚、ユーザ認証を厳密に行う場合は、パラメータとしてパスワードも指定するようにしてもよい。
【００５５】
Ｗｅｂデータ保管サーバ３がネットワーク４を経由してユーザ端末１からの一時保管要求を受信すると、主制御手段３０は、受信したＵＲＬからパラメータとして指定されたお気に入りＵＲＬを抽出する。そして、主制御手段３０は、通信処理手段３２を通じてお気に入りＵＲＬを持つＷｅｂサーバ２にアクセスを行い、Ｗｅｂデータを取得すると、それにユーザＩＤとアクセスしたＷｅｂサーバ２のＵＲＬを付加して記憶手段３３に保管を要求する（ステップＳ５）。記憶手段３３は、受け取ったユーザＩＤとＵＲＬとによって識別可能な形で記憶装置３５にＷｅｂデータを格納する。
【００５６】
このとき、主制御手段３０は、受信したＷｅｂデータ容量の算出を行い、課金処理手段３４に対しユーザＩＤと指定ＵＲＬと一時保管開始時刻情報と前記Ｗｅｂデータ容量とを渡す（ステップＳ６）。課金処理手段３４は、受け取った情報を記憶手段３３を通じて記憶装置３５に記憶する。
【００５７】
主制御手段３０は、通信処理手段３２を通じて一時保管要求のあったユーザ端末１に対して保管を完了した旨を通知する（ステップＳ７）。
【００５８】
Ｗｅｂサーバ２は、ホームページの刷新の目的から、従来のＵＲＬを削除し、新たなＵＲＬへ変更する（ステップＳ８）。
【００５９】
ユーザ端末１が、前記刷新を知らず前記ブラウザの「お気に入り」を通じて当該Ｗｅｂサーバ２にアクセスを試みるケースでは（ステップＳ９）、Ｗｅｂサーバ２は、Ｗｅｂページが存在しないというエラーメッセージを返信するため（ステップＳ１０）、ユーザ端末１ではそれを受信し、ユーザ端末１の画面に表示することになる（ステップＳ１１）。
【００６０】
次に、ユーザ端末１は、削除されたＵＲＬに対応する保管情報を参照するため、Ｗｅｂデータ保管サーバ３のＵＲＬにお気に入りＵＲＬとユーザＩＤ、パスワードをパラメータとして指定した読み出し要求をネットワーク４を介してＷｅｂデータ保管サーバ３宛に送信する（ステップＳ１２）。
【００６１】
Ｗｅｂデータ保管サーバ３がネットワーク４を経由して前記お気に入りＵＲＬと前記ＩＤ、パスワードを受信すると、ユーザＩＤ、パスワード情報による認証処理を記憶装置３５の情報と照合することで実行し、格納されているＷｅｂデータの読み出し許可／不許可判定を行う（ステップＳ１３）。不許可の場合にも、その旨をユーザ端末１に通知する（ステップＳ１４）。
【００６２】
許可の場合は、課金処理手段３４に対してユーザＩＤと指定ＵＲＬと読み出し時刻情報を送信する（ステップＳ１５）。
【００６３】
課金処理手段３４では、ユーザＩＤと指定ＵＲＬをもとに記憶手段３３に記憶した情報と照合して一致するデータの一時保管開始時刻情報を取り出し、読み出し時刻情報との時間差を求める。当該時間差にＵＲＬの保管容量を掛け合わせユーザへ課金する料金を決定する。課金処理手段３４は、ネットワーク４で接続された図示しない金融機関にアクセスし、ユーザの口座から、自身の口座への料金の引き落としを指示する（ステップＳ１６）。
【００６４】
さらに、許可の場合、主制御手段３０は、ユーザ端末１に対して前記お気に入りＵＲＬに対応したＷｅｂデータを記憶装置３５から取り出し通信処理手段３２を経由して送信する（ステップＳ１７）。  Ｗｅｂデータを受信したユーザ端末１には、所望のＷｅｂページが表示される（ステップＳ１８）。
【００６５】
このように、上記実施例では、ユーザ端末１がＷｅｂデータ保管サーバ３に対してお気に入りＵＲＬが格納された一時保管要求を送信することで、Ｗｅｂサーバ２以外でもＷｅｂデータが保管されることになるので、Ｗｅｂサーバ２が予告無くＵＲＬの削除を行った場合でもＷｅｂデータの参照ができることになる。
【００６６】
さらには、本実施例では、課金処理手段３４が設けられているので、一時保管要求のＵＲＬ毎に保管期間およびＷｅｂデータ容量に応じた課金処理ができる。
【００６７】
なお、上記実施例では、一時保管要求時には課金処理対象としてはいないが、一時保管要求が発生した時点においても一定金額の課金等、課金処理対象としてもよい。また、保管したＷｅｂデータの取り出し時に課金を行うように説明したが、保管中のデータの消去の指示がユーザから有ったとき、また、保管期間中に月末となった場合はその時点までの課金を行ったりすることもできる。
【００６８】
また、Ｗｅｂデータ保管サーバ３については、ネットワーク４に接続されていれば、複数箇所に分散するような構成とすることができる。この場合、ユーザ端末１からは、代表するＷｅｂデータ保管サーバ３にアクセスすることで、代表するＷｅｂデータ保管サーバ３の決定した別のＷｅｂデータ保管サーバ３へのＷｅｂデータの格納や、該サーバからの取り出しが代表するＷｅｂデータ保管サーバ３を経由して行われる。
【００６９】
また、ユーザ端末１上のブラウザにお気に入りＵＲＬを登録すると同時に自動的に一時保管要求を発行するようにしてもよい。また、ユーザ端末１において、Ｗｅｂサーバ２から指定したＵＲＬが未定義である旨のエラーメッセージが返信された場合、それを自動認識し、ユーザに確認すること無く、Ｗｅｂデータ保管サーバ３へ保管したＷｅｂデータの読み出し要求を発行するようにすることもできる。
【００７０】
次に、本発明の第２の実施例について、図４のフローチャートを元に説明する。
【００７１】
本発明の第２の実施例の構成は、第１の実施例の構成と同一である。
【００７２】
ユーザは、Ｗｅｂデータ保管サーバ３のホームページをアクセスすると（ステップＳ２０）、要件を入力する画面がユーザ端末１に送信され表示される（ステップＳ２１）。ユーザは、この画面から、保管したいＷｅｂデータを持つＷｅｂサーバ２のＵＲＬを指定するとともに、このＵＲＬをＷｅｂデータ保管サーバ３がアクセスするタイミング間隔とアクセスする期間を指定する（ステップＳ２２）。例えば、１日おき、１時間おき等の間隔で、期間として当月末まで等である。
【００７３】
Ｗｅｂデータ保管サーバ３は、この時間間隔に基づき定期的に指定されたＷｅｂサーバ２のＵＲＬをアクセスする（ステップＳ２３）。Ｗｅｂサーバは、該当するＷｅｂデータをＷｅｂデータ保管サーバ３に送信する（ステップＳ２４）。Ｗｅｂデータ保管サーバ３は、受信したＷｅｂデータと、前回保管したＷｅｂデータとの差分をチェックする（ステップＳ２５）。もし、差分が無ければ保管は行わず、定期的なアクセスを行うために（ステップＳ２３）に戻る。
【００７４】
もし、差分が有る場合は、Ｗｅｂデータ保管サーバ３は、そのＷｅｂデータをユーザの指定したＵＲＬの傘下の新たなバージョンのＷｅｂデータとして記憶手段３３に保管する（ステップＳ２６）。このとき、保管した日付、時刻が保管対象のＷｅｂデータに付加されて既に保管されている他のＷｅｂデータとの識別がされる。
【００７５】
ユーザが指定した保管処理の終了期日に達したかを確認し（ステップＳ２７）、終了する期日に達していない場合は、（ステップＳ２３）に戻る。終了する期日に達すると、または、指定されたＵＲＬがＷｅｂサーバ２上で消去されると、Ｗｅｂデータ保管サーバ３は、ユーザ端末１に電子メール等によって、保管処理が完了した旨を通知する（ステップＳ２８）。
【００７６】
ユーザは、保管処理の完了通知を受けると、ユーザ端末１より、Ｗｅｂデータ保管サーバ３をアクセスし、保管処理の完了通知を受けたＵＲＬへのアクセスを要求する（ステップＳ２９）。Ｗｅｂデータ保管サーバ３は、日付時刻によって識別された当該ＵＲＬのバージョンの一覧情報をユーザ端末１に送信する（ステップＳ３０）。ユーザは、必要なＷｅｂデータを指定してその参照やユーザ端末１への取込を指示することができる。このときユーザは、Ｗｅｂデータ保管サーバ３に対し、当該ＵＲＬに関連するすべてのＷｅｂデータの消去、一部のＷｅｂデータの消去等の指示をすることができる。
【００７７】
尚、以上の説明では、保管期間の終了時点において、ユーザ端末１から、Ｗｅｂデータ保管サーバ３をアクセスするように説明したが、保管期間終了前の任意の時点で、アクセスができることは言うまでもない。
【００７８】
この実施例におけるＷｅｂデータ保管サーバ３による課金処理も第１の実施例と同様であるが、ＵＲＬの各バージョンについての保管開始日時と保管終了日時間の差分とそのバージョンの保管容量から算出される料金をすべての保管したバージョンについて合計したものになる。
【００７９】
さらに、今までの説明では、ユーザ端末１から、Ｗｅｂデータ保管サーバ３へのＷｅｂデータの保管を依頼する説明をしたが、同様にＷｅｂサーバ２が自身の保有するＷｅｂデータを定期的に、又は変更が生じた場合に、適時保管を行うようにＷｅｂデータ保管サーバ３に依頼することも可能である。このとき、Ｗｅｂサーバ２は、自身の開設するＷｅｂデータすべてに対する保管の依頼、または指定したい又は複数のＵＲＬ配下のＷｅｂデータの指定やリンク先も含めた保管の依頼を行うことができる。
【産業上の利用可能性】
【００８０】
ユーザが指定したＷｅｂデータの保管を行い、保管期間とデータ容量から保管料を決定してユーザに課金を行うコンピュータのアウトソーシングの一分野に適用可能と思われる。
【図面の簡単な説明】
【００８１】
【図１】本発明の実施例の構成を説明するブロック図である。
【図２】本発明のＷｅｂデータ保管サーバ２の構成を説明するブロック図である。
【図３】本発明の第１の実施例の動作を説明するフローチャートである。
【図４】本発明の第２の実施例の動作を説明するフローチャートである。
【符号の説明】
【００８２】
１    ユーザ端末
２    Ｗｅｂサーバ
３    Ｗｅｂデータ保管サーバ
３０    主制御手段
３１    ユーザ認証手段
３２    通信処理手段
３３    記憶手段
３４    課金処理手段
３５    記憶装置
４    ネットワーク
【図１】
2005108097.tif 000003
【図２】
2005108097.tif 000004
【図３】
2005108097.tif 000005
【図４】
2005108097.tif 000006